【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
プロセッサと、前記プロセッサによりアクセス可能なメモリとを備えるデバイスであって、前記メモリは、動作を実行するために前記プロセッサにより実行可能な命令を記録し、前記動作が、
局において、第1の拡張分散チャネルアクセス(EDCA)パラメータセットおよび第2のEDCAパラメータセットを含むビーコンフレームの受信を検出するステップであって、前記第1のEDCAパラメータセットおよび前記第2のEDCAパラメータセットが、前記ビーコンフレームのEDCAパラメータセット情報要素(IE)に含まれ、前記EDCAパラメータセットIEが、意図するデバイスタイプを示すためのフィールドを含む、ステップと、
前記局の1つまたは複数の特性に対応する前記意図するデバイスタイプに基づき、前記第1のEDCAパラメータセットまたは前記第2のEDCAパラメータセットのいずれかを選択し、データの通信に適用するステップと
を含む、デバイス。
【請求項２】
前記第1のEDCAパラメータセットが、デフォルトのEDCAパラメータセットに対応する、請求項1に記載のデバイス。
【請求項３】
前記局の前記1つまたは複数の特性は、前記局がバッテリ駆動か、またはコンセント駆動かを含む、請求項1に記載のデバイス。
【請求項４】
前記意図するデバイスタイプが、センサデバイスまたは非センサデバイスを示す、請求項1に記載のデバイス。
【請求項５】
前記動作が、
前記ビーコンフレームが、アサートされたオーバーライド指示を含むという判断に応答して、前記局において前記EDCAパラメータセットIEを採用するステップ、
前記ビーコンフレームが、前記局により満足されるフィルタ条件を含むという判断に応答して、前記局において前記EDCAパラメータセットIEを採用するステップ、および
前記ビーコンフレームが、前記オーバーライド指示を含まず、前記フィルタ条件を含まないという判断に応答して、前記局において前記EDCAパラメータセットIEを自動的に採用するステップ
のうちのいずれか1つをさらに含む、請求項1に記載のデバイス。
【請求項６】
前記選択されたEDCAパラメータセットを前記データの通信に適用することが、前記データの通信を、1つまたは複数の他の局により通信されるデータに対して優先付けるようにする、請求項１に記載のデバイス。
【請求項７】
前記データの通信が、前記選択されたEDCAパラメータセットに含まれる、第1のコンテンションウィンドウ値、第2のコンテンションウィンドウ値、およびアービトレーションフレーム内スペーシング数(AIFSN)値に基づき、優先付けられる、請求項6に記載のデバイス。
【請求項８】
第1の拡張分散チャネルアクセス(EDCA)パラメータセットおよび第2のEDCAパラメータセットを含むビーコンフレームを、局のトランシーバにより受信するステップであって、前記第1のEDCAパラメータセットおよび前記第2のEDCAパラメータセットが、前記ビーコンフレームのEDCAパラメータセット情報要素(IE)に含まれ、前記EDCAパラメータセットIEが、意図するデバイスタイプを示すためのフィールドを含む、ステップと、
前記局の1つまたは複数の特性に対応する前記意図するデバイスタイプに基づき、前記第1のEDCAパラメータセットまたは前記第2のEDCAパラメータセットのいずれかを選択し、データの通信に適用するステップと
を含む、方法。
【請求項９】
プロセッサと、前記プロセッサにアクセス可能なメモリを備えるデバイスであって、前記メモリは、前記プロセッサが、アクセスポイントトランシーバから局へのフレームの送信を行うように実行可能な命令を記録し、
前記フレームは、第1の拡張分散チャネルアクセス(EDCA)パラメータセットおよび第2のEDCAパラメータセットを含み、
前記第1のEDCAパラメータセットおよび前記第2のEDCAパラメータセットが、前記フレームのEDCAパラメータセット情報要素(IE)に含まれ、
前記EDCAパラメータセットIEが、意図するデバイスタイプを示すためのフィールドを含む、デバイス。
【請求項１０】
前記フレームが、関連付け応答を含む、請求項9に記載のデバイス。
【請求項１１】
前記フレームが、ビーコンを含む、請求項9に記載のデバイス。
【請求項１２】
アクセスポイントトランシーバから局へフレームを送信するステップを含み、
前記フレームが、第1の拡張分散チャネルアクセス(EDCA)パラメータセットおよび第2のEDCAパラメータセットを含み、
前記第1のEDCAパラメータセットおよび前記第2のEDCAパラメータセットが、前記フレームのEDCAパラメータセット情報要素(IE)に含まれ、
EDCAパラメータセットIEが、意図するデバイスタイプを示すためのフィールドを含む、方法。
【請求項１３】
プロセッサと、前記プロセッサによりアクセス可能なメモリとを備えるデバイスであって、前記メモリは、動作を実行するために前記プロセッサにより実行可能な命令を記録し、前記動作が、局において、拡張分散チャネルアクセス(EDCA)パラメータセット情報要素(IE)およびオーバーライド指示を含むビーコンフレームの受信を検出するステップを含み、
前記オーバーライド指示が、前記EDCAパラメータセットIEの第1のフィールドに含まれ、前記EDCAパラメータセットIEが、意図するデバイスタイプを示す第2のフィールドを含む、デバイス。
【請求項１４】
前記動作が、
前記オーバーライド指示がアサートされたという判断に応答して、前記局の1つまたは複数の特性に対応する前記意図するデバイスタイプに基づき、前記局において前記EDCAパラメータセットを採用するステップと、
前記オーバーライド指示がアサートされないという判断に応答して、前記EDCAパラメータセットIEに基づくとともに、前記1つまたは複数のEDCAパラメータに関連付けられる1つまたは複数のデルタ値に基づき、1つまたは複数のEDCAパラメータの1つまたは複数の値を計算するステップと
をさらに含む、請求項13に記載のデバイス。
【請求項１５】
前記EDCAパラメータセットIEを採用するステップが、前記1つまたは複数のEDCAパラメータをデータの通信に適用し、前記データの通信を、1つまたは複数の他の局により通信されるデータに対して優先付けるステップを含む、請求項14に記載のデバイス。
【請求項１６】
前記データの通信が、前記EDCAパラメータセットIEに含まれる、第1のコンテンションウィンドウ値、第2のコンテンションウィンドウ値、およびアービトレーションフレーム内スペーシング数(AIFSN)値に基づき優先付けられる、請求項15に記載のデバイス。
【請求項１７】
拡張分散チャネルアクセス(EDCA)パラメータセット情報要素(IE)およびオーバーライド指示を含むビーコンフレームを、局のトランシーバにより受信するステップを含み、
前記オーバーライド指示が、前記EDCAパラメータセットIEの第1のフィールドに含まれ、
前記EDCAパラメータセットIEが、意図するデバイスタイプを示す第2のフィールドを含む、方法。
【請求項１８】
前記オーバーライド指示がアサートされたという判断に応答して、前記局の1つまたは複数の特性に対応する前記意図するデバイスタイプに基づき、前記局において前記EDCAパラメータセットIEを採用するステップと、
前記オーバーライド指示がアサートされないという判断に応答して、前記EDCAパラメータセットIEに基づくとともに、前記1つまたは複数のEDCAパラメータに関連付けられる1つまたは複数のデルタ値に基づき、1つまたは複数のEDCAパラメータの1つまたは複数の値を計算するステップと
をさらに含む、請求項17に記載の方法。
【請求項１９】
プロセッサと、前記プロセッサによりアクセス可能なメモリとを備えるデバイスであって、前記メモリは、動作を実行するために前記プロセッサにより実行可能な命令を記録し、前記動作が、局において、拡張分散チャネルアクセス(EDCA)パラメータセット情報要素(IE)およびフィルタ条件を含むビーコンフレームの受信を検出するステップを含み、
前記フィルタ条件が、前記EDCAパラメータセットIEの第1のフィールドに含まれ、前記EDCAパラメータセットIEが、意図するデバイスタイプを示す第2のフィールドを含む、デバイス。
【請求項２０】
前記動作が、
前記局が前記フィルタ条件を満たすか否かの判断、および前記局の1つまたは複数の特性に対応する前記意図するデバイスタイプに基づき、前記EDCAパラメータセットIEを選択的に採用するステップをさらに含む、請求項19に記載のデバイス。
【請求項２１】
前記EDCAパラメータセットIEを採用するステップが、1つまたは複数のEDCAパラメータをデータの通信に適用し、前記データの通信を、1つまたは複数の他の局により通信されるデータに対して優先付けるステップを含む、請求項20に記載のデバイス。
【請求項２２】
前記データの通信が、前記EDCAパラメータセットIEに含まれる、第1のコンテンションウィンドウ値、第2のコンテンションウィンドウ値、およびアービトレーションフレーム内スペーシング数(AIFSN)値に基づき、優先付けられる、請求項21に記載のデバイス。
【請求項２３】
前記EDCAパラメータセットIEおよび前記フィルタ条件が、前記ビーコンフレームの1つの情報要素に含まれる、請求項19に記載のデバイス。
【請求項２４】
前記EDCAパラメータセットIEの前記第1のフィールドが、予約済みフィールドである、請求項19に記載のデバイス。
【請求項２５】
前記フィルタ条件が、1つまたは複数の局能力、または1つまたは複数の動作モードに対応する、請求項19に記載のデバイス。
【請求項２６】
前記フィルタ条件が、少なくとも1つの局識別子を含む、請求項19に記載のデバイス。
【請求項２７】
前記少なくとも1つの局識別子が前記局を識別し、前記意図するデバイスタイプがセンサデバイスまたは非センサデバイスを示す、請求項26に記載のデバイス。
【請求項２８】
拡張分散チャネルアクセス(EDCA)パラメータセット情報要素(IE)およびフィルタ条件を含むビーコンフレームを、局のトランシーバにより受信するステップを含み、
前記フィルタ条件が、前記EDCAパラメータセットIEの第1のフィールドに含まれ、
前記EDCAパラメータセットIEが、意図するデバイスタイプを示す第2のフィールドを含む、方法。
【請求項２９】
前記局が前記フィルタ条件を満たすか否かの判断、および前記局の1つまたは複数の特性に対応する前記意図するデバイスタイプに基づき、前記EDCAパラメータセットIEを選択的に採用するステップをさらに含む、請求項28に記載の方法。
【請求項３０】
プロセッサと、前記プロセッサによりアクセス可能なメモリとを備えるデバイスであって、前記メモリは、動作を実行するために前記プロセッサにより実行可能な命令を記録し、前記動作が、
局において、前記局とアクセスポイントの関連付けの間、前記アクセスポイントからのトグル指示の受信を検出するステップと、
前記局において、拡張分散チャネルアクセス(EDCA)パラメータセット情報要素(IE)を含むビーコンフレームの受信を検出するステップであって、前記EDCAパラメータセットIEが、意図するデバイスタイプを示すフィールドを含む、ステップと、
前記トグル指示に基づき、前記EDCAパラメータセットIEを採用するか否かを判断するステップと
を含む、デバイス。
【請求項３１】
前記動作が、
前記トグル指示がアサートされたという判断に応答して、前記局の1つまたは複数の特性に対応する前記意図するデバイスタイプに基づき、前記EDCAパラメータセットIEを採用するステップと、
前記トグル指示がアサートされないという判断に応答して、前記局によりユニキャストを介して受信された1つまたは複数のEDCAパラメータを使用するステップと
をさらに含む、請求項30に記載のデバイス。
【請求項３２】
前記EDCAパラメータセットIEを採用するステップが、前記1つまたは複数のEDCAパラメータをデータの通信に適用し、前記データの通信を、1つまたは複数の他の局により通信されるデータに対して優先付けるステップを含む、請求項31に記載のデバイス。
【請求項３３】
前記データの通信が、前記EDCAパラメータセットIEに含まれる、第1のコンテンションウィンドウ値、第2のコンテンションウィンドウ値、およびアービトレーションフレーム内スペーシング数 (AIFSN)値に基づき、優先付けられる、請求項32に記載のデバイス。
【請求項３４】
局において、前記局とアクセスポイントの関連付けの間、前記アクセスポイントからのトグル指示を受信するステップと、
前記局において、拡張分散チャネルアクセス(EDCA)パラメータセット情報要素(IE)を含むビーコンフレームを受信するステップであって、前記EDCAパラメータセットIEが、意図するデバイスタイプを示すフィールドを含む、ステップと、
前記トグル指示に基づき、前記EDCAパラメータセットIEを採用するか否かを判断するステップと
を含む、方法。
【請求項３５】
前記トグル指示がアサートされたという判断に応答して、前記局の1つまたは複数の特性に対応する前記意図するデバイスタイプに基づき、前記EDCAパラメータセットIEを採用するステップと、
前記トグル指示がアサートされないという判断に応答して、前記局によりユニキャストを介して受信された1つまたは複数のEDCAパラメータを使用するステップと
をさらに含む、請求項34に記載の方法。